(57)【要約】【課題】ダイレクト操作対応の制御コードと二段階操作対応の制御コードとに対応可能な放送信号処理方法を提供すること。【解決手段】放送信号処理方法は、放送種別とチャンネル番号を選択するダイレクト選局コードに対応するための第１のモード、及び放送種別選択コードとチャンネル番号選択コードの夫々のコードに対応するための第２のモードのうちのどちらか一方のモードを設定し、前記第１のモードの設定時における前記ダイレクト選局コードの受信に対応し放送種別とチャンネル番号を選択する第１の選択を実行し、前記第２のモードの設定時における前記放送選択コードの受信に基づき放送種別を選択する第２の選択を実行し、前記第２のモードの設定時における前記チャンネル番号選択コードの受信に基づき、選択されている放送種別を維持しつつ、チャンネル番号を選択する第３の選択を実行する。【選択図】      図７
2010062843.tif 000002
【特許請求の範囲】
【請求項１】
放送種別とチャンネル番号を選択するダイレクト選局コードに対応するための第１のモード、及び放送種別選択コードとチャンネル番号選択コードの夫々のコードに対応するための第２のモードのうちのどちらか一方のモードを設定する設定手段と、
前記ダイレクト選局コード、前記放送種別選択コード、及び前記チャンネル番号選択コードのうちの少なくとも一つのコードを受信する受信手段と、
前記第１のモードの設定時における前記ダイレクト選局コードの受信に対応し、前記ダイレクト選局コードに基づき放送種別とチャンネル番号を選択する第１の選択を実行し、前記第２のモードの設定時における前記放送種別選択コードの受信に基づき放送種別を選択する第２の選択を実行し、前記第２のモードの設定時における前記チャンネル番号選択コードの受信に基づき、選択されている放送種別を維持しつつ、チャンネル番号を選択する第３の選択を実行する選択手段と、
前記選択されたチャンネル番号に対応する放送信号を出力する出力手段と、
を備えたことを特徴とする放送信号処理装置。
【請求項２】
前記第１のモードは、地上放送のチャンネル番号を選択する第１のダイレクト選局コード、及び衛星放送のチャンネル番号を選択する第２のダイレクト選局コードに対応するためのモードであり、
前記第２のモードは、地上放送選択コードと、衛星放送選択コードと、チャンネル番号選択コードの夫々のコードに対応するためのモードであり、
前記選択手段は、
前記第１のモードの設定時における前記第１のダイレクト選局コードの受信に対応し、前記第１のダイレクト選局コードに基づき地上放送のチャンネル番号を選択し、
前記第１のモードの設定時における前記第２のダイレクト選局コードの受信に対応し、前記第２のダイレクト選局コードに基づき衛星放送のチャンネル番号を選択し、
前記第２のモードの設定時における前記地上放送選択コードの受信に基づき地上放送を選択し、
前記第２のモードの設定時における前記衛星放送選択コードの受信に基づき衛星放送を選択し、
前記第２のモードの設定時における前記チャンネル番号選択コードの受信に基づき、選択されている放送種別を維持しつつ、チャンネル番号を選択する、
ことを特徴とする請求項１に記載の放送信号処理装置。
【請求項３】
前記選択手段は、前記第２のモードの設定時における前記第１のダイレクト選局コードの受信に対応し、前記第１のダイレクト選局コードに基づきチャンネル番号を選択することを特徴とする請求項２に記載の放送信号処理装置。
【請求項４】
前記選択手段は、前記第２のモードの設定時における前記第１のダイレクト選局コードの受信に対応し、前記第１のダイレクト選局コードに基づき放送を切り換えることなくチャンネル番号だけを選択することを特徴とする請求項２に記載の放送信号処理装置。
【請求項５】
前記選択手段は、前記第２のモードの設定時における前記第２のダイレクト選局コードの受信に対応し、選択動作を実行しないことを特徴とする請求項２に記載の放送信号処理装置。
【請求項６】
前記第２のモードの設定時における前記第２のダイレクト選局コードの受信に対応し、エラーメッセージを表示するための表示情報を出力する表示制御手段を備えたことを特徴とする請求項５に記載の放送信号処理装置。
【請求項７】
放送種別とチャンネル番号を選択するダイレクト選局コードに対応するための第１のモード、及び放送種別選択コードとチャンネル番号選択コードの夫々のコードに対応するための第２のモードのうちのどちらか一方のモードを設定し、
前記第１のモードの設定時における前記ダイレクト選局コードの受信に対応し、前記放送選択コードに基づき放送種別とチャンネル番号を選択する第１の選択を実行し、前記第２のモードの設定時における前記放送種別選択コードの受信に基づき放送種別を選択する第２の選択を実行し、前記第２のモードの設定時における前記チャンネル番号選択コードの受信に基づき、選択されている放送種別を維持しつつ、チャンネル番号を選択する第３の選択を実行し、
前記選択されたチャンネル番号に対応する放送信号を出力する、
ことを特徴とする放送信号処理方法。
【発明の詳細な説明】
【技術分野】
【０００１】
本発明は、放送種別選択コードの受信に対応し放送の種別を選択し、またチャンネル番号選択コードの受信に対応しチャンネル番号を選択する放送信号処理装置及び放送信号処理方法に関する。
【背景技術】
【０００２】
近年の放送環境の多様化に伴い、例えば、ユーザは、リモートコントローラを介した二段階操作により、放送の種別を選択してから、チャンネル番号を選択する。二段階操作対応のリモートコントローラは、地上アナログ放送選択キー、地上デジタル放送選択キー、ＢＳ放送選択キー、ＣＳ放送選択キー、及び複数のチャンネル番号選択を備える。
【０００３】
例えば、二段階操作対応のリモートコントローラは、地上アナログ放送選択キー又は地上デジタル放送選択キーの押下に対応して、地上アナログ放送選択コード又は地上デジタル放送選択コードを送信する。チューナは、地上アナログ放送選択コード又は地上デジタル放送選択コードの受信に基づき地上アナログ放送又は地上デジタル放送を選択する。また、二段階操作対応のリモートコントローラは、ＢＳ放送選択キー又はＣＳ放送選択キーの押下に対応して、ＢＳ放送選択コード又はＣＳ放送選択コードを送信する。チューナは、ＢＳ放送選択コード又はＣＳ放送選択コードの受信に基づきＢＳ放送又はＣＳ放送を選択する。さらに、二段階操作対応のリモートコントローラは、所定のチャンネル番号選択キーの押下に対応して、所定のチャンネル番号選択コードを送信する。チューナは、既に選択された放送の種別（地上アナログ放送、地上デジタル放送、ＢＳ放送、ＣＳ放送）を維持したまま、所定のチャンネル番号選択コードの受信に基づき所定のチャンネル番号を選択する。なお、現在選択されている放送の種別の変更を希望しない場合は、放送の種別の選択操作を省略し、チャンネル番号だけを選択すればよい。
【０００４】
上記した二段階操作を簡略化するために、ダイレクト操作対応のリモートコントローラが登場している（特許文献１参照）。例えば、ダイレクト操作対応のリモートコントローラは、地上放送用に割り当てられた複数の選局キー、及び衛星放送用に割り当てられた複数の選局キーを備え、地上放送選用に割り当てられた所定の選局キーの押下に対応して、地上放送を選択し所定のチャンネル番号を選択するダイレクト選局コードを送信する。チューナは、ダイレクト選局コードの受信に基づき、地上放送を選択し、さらに所定のチャンネル番号を選択する。或いは、ダイレクト操作対応のリモートコントローラは、衛星放送選用に割り当てられた所定の選局キーの押下に対応して、衛星放送を選択し所定のチャンネル番号を選択するダイレクト選局コードを送信する。チューナは、ダイレクト選局コードの受信に基づき、衛星放送を選択し、さらに所定のチャンネル番号を選択する。
【特許文献１】特開２００４−３６３９１０号公報
【発明の開示】
【発明が解決しようとする課題】
【０００５】
上記したように、ダイレクト操作対応のリモートコントローラは、１回のキー操作で、放送の種別とチャンネル番号とを選択することができる。このため、操作性の面では、ダイレクト操作対応のリモートコントローラは、二段階操作対応のリモートコントローラより優れる。
【０００６】
しかしながら、ダイレクト操作対応のリモートコントローラのキーの数は、二段階操作対応のリモートコントローラのキーの数より多くなる傾向にあり、ダイレクト操作対応のリモートコントローラのキー配列は複雑になりがちである。例えば、主として地上放送を視聴するユーザであれば、つまり頻繁に放送の種別を切り替えないユーザであれば、キー配列が複雑になりがちなダイレクト操作対応のリモートコントローラよりも、二段階操作対応のリモートコントローラのほうが使い勝手が良い場合もある。また、キーの数が多いダイレクト操作対応のリモートコントローラの製造コストは、二段階操作対応のリモートコントローラの製造コストよりも高くなる傾向にある。
【０００７】
このように、ダイレクト操作対応のリモートコントローラと二段階操作対応のリモートコントローラの夫々に優れる点があるため、ダイレクト操作対応のリモートコントローラ又は二段階操作対応のリモートコントローラのどちらか一方のリモートコントローラの使用を固定するのではなく、ダイレクト操作対応のリモートコントローラ又は二段階操作対応のリモートコントローラを選択的に使用できるのが望ましい。
【０００８】
本発明の目的は、ダイレクト操作対応の制御コードと二段階操作対応の制御コードとに対応可能な放送信号処理装置及び放送信号処理方法を提供することにある。
【課題を解決するための手段】
【０００９】
この発明の一実施形態に係る放送信号処理装置は、放送種別とチャンネル番号を選択するダイレクト選局コードに対応するための第１のモード、及び放送種別選択コードとチャンネル番号選択コードの夫々のコードに対応するための第２のモードのうちのどちらか一方のモードを設定する設定手段と、前記ダイレクト選局コード、前記放送選択コード、及び前記チャンネル番号選択コードのうちの少なくとも一つのコードを受信する受信手段と、前記第１のモードの設定時における前記ダイレクト選局コードの受信に対応し、前記ダイレクト選局コードに基づき放送種別とチャンネル番号を選択する第１の選択を実行し、前記第２のモードの設定時における前記放送種別選択コードの受信に基づき放送種別を選択する第２の選択を実行し、前記第２のモードの設定時における前記チャンネル番号選択コードの受信に基づき、選択されている放送種別を維持しつつ、チャンネル番号を選択する第３の選択を実行する選択手段と、前記選択されたチャンネル番号に対応する放送信号を出力する出力手段と、を備えている。
【００１０】
この発明の一実施形態に係る放送信号処理方法は、放送種別とチャンネル番号を選択するダイレクト選局コードに対応するための第１のモード、及び放送種別選択コードとチャンネル番号選択コードの夫々のコードに対応するための第２のモードのうちのどちらか一方のモードを設定し、前記第１のモードの設定時における前記ダイレクト選局コードの受信に対応し、前記放送選択コードに基づき放送種別とチャンネル番号を選択する第１の選択を実行し、前記第２のモードの設定時における前記放送種別選択コードの受信に基づき放送種別を選択する第２の選択を実行し、前記第２のモードの設定時における前記チャンネル番号選択コードの受信に基づき、選択されている放送種別を維持しつつ、チャンネル番号を選択する第３の選択を実行し、前記選択されたチャンネル番号に対応する放送信号を出力する。
【発明の効果】
【００１１】
本発明によれば、ダイレクト操作対応の制御コードと二段階操作対応の制御コードとに対応可能な放送信号処理装置及び放送信号処理方法を提供できる。
【発明を実施するための最良の形態】
【００１２】
以下、図面を参照し、本発明の実施形態について説明する。
【００１３】
図１は、この発明の一実施形態に係るデジタルテレビジョン受像機（放送信号処理装置）１１の外観と、このデジタルテレビジョン受像機１１を中心として構成されるネットワークシステムの一例を概略的に示している。
【００１４】
すなわち、デジタルテレビジョン受像機１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作モジュール１６、ダイレクト操作対応のリモートコントローラ１７、二段階操作対応のリモートコントローラ１７’から送信される操作情報を受ける受光モジュール１８等が設置されている。
【００１５】
また、このデジタルテレビジョン受像機１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１６】
さらに、このデジタルテレビジョン受像機１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１７】
また、このデジタルテレビジョン受像機１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００１８】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ４６に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１９】
また、ＬＡＮ端子２１は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ、ＮＡＳ（Network Attached Storage）等の機器を接続し、これらの機器と情報伝送を行なうために使用される。
【００２０】
第１のＨＤＭＩ端子２２は、ＡＶアンプ２７を介して、ＤＶＤレコーダ２８およびＤＶＤプレーヤ２９の外部機器が接続されている。
【００２１】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの外部機器と情報伝送を行なうために使用される。第１のＨＤＭＩ端子２２および第２のＨＤＭＩ端子２３は、ＨＤＭＩ規格に準拠した形態で外部機器と情報伝送するものである。
【００２２】
さらに、この第２のＨＤＭＩ端子２３は、ハブ３０に接続されたブロードバンドルータ３５を介して、例えばインターネット等のネットワーク３２に接続し、そのネットワーク３６を介してＰＣ３７や携帯電話３８等と情報伝送を行なうために使用される。
【００２３】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２４】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２６】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００２７】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２８】
そして、このチューナ５４で選局された放送信号は、ＯＦＤＭ（orthogonal frequency division multiplexing）復調モジュール５５に供給されて、デジタルの映像信号及び音声信号に復調された後、上記信号処理モジュール５１に出力される。
【００２９】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調モジュール５７に供給されてアナログの映像信号及び音声信号に復調された後、上記信号処理モジュール５１に出力される。
【００３０】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００３１】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００３２】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００３３】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００３４】
そして、グラフィック処理モジュール５８から出力されたデジタルの映像信号は、映像処理モジュール６２に供給される。この映像処理モジュール６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３５】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３６】
ここで、このデジタルテレビジョン受像機１１は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、前記ダイレクト操作対応のリモートコントローラ１７、又は前記二段階操作対応のリモートコントローラ１７’から送出され受光モジュール１８を介して受信した操作情報を受けて、その操作内容が反映されるように各モジュールをそれぞれ制御している。
【００３７】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３８】
また、この制御モジュール６５は、カードＩ／Ｆ（interface）６９を介して、前記第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００３９】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応のＨＤＤ２６と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００４０】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続された各機器（図１参照）と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続された各機器（図１参照）と、第２のＨＤＭＩ Ｉ／Ｆ７５を介して情報伝送を行なうことができる。
【００４１】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続された各機器（図１参照）と、ＵＳＢ Ｉ／Ｆ７６を介して情報伝送を行なうことができる。
【００４２】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続された各機器（図１参照）と、ｉ．ＬＩＮＫ Ｉ／Ｆ７７を介して情報伝送を行なうことができる。
【００４３】
さらに、上記制御モジュール６５は、ＨＤＤ７８と接続されている。これにより、制御モジュール６５は、ＨＤＤ７８に対して情報伝送を行なうことができる。
【００４４】
図３は、ダイレクト操作対応のリモートコントローラ１７の外観を示す図である。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、方向キー１７ｉ、戻るキー１７ｋ、終了キー１７ｌ、青，赤，緑，黄のカラーキー１７ｍ、チャンネルアップダウンキー１７ｎ、音量調整キー１７ｏ、ＢＳ／ＣＳ切換キー１７ｒ、地上デジタル／地上アナログ切換キー１７ｓ等が設けられている。
【００４５】
リモートコントローラ１７は、地上デジタル／地上アナログ切換キー１７ｓの地上デジタルの表示部分の押下に対応して、地上デジタル放送選択コードを送信する。この後、リモートコントローラ１７は、ダイレクト選局キー１７ｄの押下に対応して、地上デジタル放送のチャンネル番号を選択するための地上デジタル放送のダイレクト選局コードを送信する。
【００４６】
デジタルテレビジョン受像機１１のチューナ５４は、地上デジタル放送選択コードの受信に基づき、地上デジタル放送を選択する。また、チューナ５４は、地上デジタル放送のダイレクト選局コードの受信に基づき地上デジタル放送のチャンネル番号を選択する（図５参照）。チューナ５４により選択されたチャンネル番号に対応する放送信号は、信号処理部５１等を介して、スピーカ１５、映像表示器１４から出力される。
【００４７】
或いは、リモートコントローラ１７は、地上デジタル／地上アナログ切換キー１７ｓの地上アナログの表示部分の押下に対応して、地上アナログ放送選択コードを送信する。この後、リモートコントローラ１７は、ダイレクト選局キー１７ｄの押下に対応して、地上アナログ放送のチャンネル番号を選択するための地上アナログ放送のダイレクト選局コードを送信する。
【００４８】
デジタルテレビジョン受像機１１のチューナ５６は、地上アナログ放送選択コードの受信に基づき、地上アナログ放送を選択する。また、チューナ５６は、地上アナログ放送のダイレクト選局コードの受信に基づき地上アナログ放送のチャンネル番号を選択する（図５参照）。チューナ５６により選択されたチャンネル番号に対応する放送信号は、信号処理部５１等を介して、スピーカ１５、映像表示器１４から出力される。
【００４９】
或いは、リモートコントローラ１７は、ＢＳ／ＣＳ切換キー１７ｒのＢＳの表示部分の押下に対応して、ＢＳ放送選択コードを送信する。この後、リモートコントローラ１７は、ダイレクト選局キー１７ｃの押下に対応して、ＢＳ放送のチャンネル番号を選択するためのＢＳ放送のダイレクト選局コードを送信する。
【００５０】
デジタルテレビジョン受像機１１のチューナ４９は、ＢＳ放送選択コードの受信に基づき、ＢＳ放送を選択する。また、チューナ４９は、ＢＳ放送のダイレクト選局コードの受信に基づきＢＳ放送のチャンネル番号を選択する（図５参照）。チューナ４９により選択されたチャンネル番号に対応する放送信号は、信号処理部５１等を介して、スピーカ１５、映像表示器１４から出力される。
【００５１】
或いは、リモートコントローラ１７は、ＢＳ／ＣＳ切換キー１７ｒのＣＳの表示部分の押下に対応して、ＣＳ放送選択コードを送信する。この後、リモートコントローラ１７は、ダイレクト選局キー１７ｃの押下に対応して、ＣＳ放送のチャンネル番号を選択するＣＳ放送のダイレクト選局コードを送信する。
【００５２】
デジタルテレビジョン受像機１１のチューナ４９は、ＣＳ放送選択コードの受信に基づき、ＣＳ放送を選択する。また、チューナ４９は、ＣＳ放送のダイレクト選局コードの受信に基づきＣＳ放送のチャンネル番号を選択する（図５参照）。チューナ４９により選択されたチャンネル番号に対応する放送信号は、信号処理部５１等を介して、スピーカ１５、映像表示器１４から出力される。
【００５３】
上記したように、リモートコントローラ１７を使用すると、１回のキー操作で、放送の種別とチャンネル番号とを選択することができる。
【００５４】
図４は、二段階操作対応のリモートコントローラ１７’の外観を示す図である。このリモートコントローラ１７’には、主として、電源キー１７ａ’、入力切換キー１７ｂ’、選局キー１７ｄ’、クイックキー１７ｅ’、カーソルキー１７ｆ’、決定キー１７ｇ’、番組表キー１７ｈ’、戻るキー１７ｋ’、終了キー１７ｌ’、青，赤，緑，黄のカラーキー１７ｍ’、チャンネルアップダウンキー１７ｎ’、音量調整キー１７ｏ’、地上アナログ切換キー１７ｒ’、地上デジタル切換キー１７ｓ’、ＢＳ切換キー１７ｔ’、ＣＳ切換キー１７ｕ’等が設けられている。
【００５５】
リモートコントローラ１７’は、地上アナログ切換キー１７ｒ’の押下に対応して、地上アナログ放送選択コードを送信する。この後、リモートコントローラ１７’は、選局キー１７ｄ’の押下に対応して、チャンネル番号選択コードを送信する。
【００５６】
デジタルテレビジョン受像機１１のチューナ５６は、地上アナログ放送選択コードの受信に基づき、地上アナログ放送を選択する。この後、チューナ５６は、チャンネル番号選択コードの受信に基づき、放送の種別を切り換えることなく（地上アナログ放送の選択を維持したまま）、チャンネル番号を選択する（図５参照）。チューナ５６により選択されたチャンネル番号に対応する放送信号は、信号処理部５１等を介して、スピーカ１５、映像表示器１４から出力される。
【００５７】
或いは、リモートコントローラ１７’は、地上デジタル切換キー１７ｓ’の押下に対応して、地上デジタル放送選択コードを送信する。この後、リモートコントローラ１７’は、選局キー１７ｄ’の押下に対応して、チャンネル番号選択コードを送信する。
【００５８】
デジタルテレビジョン受像機１１のチューナ５４は、地上デジタル放送選択コードの受信に基づき、地上デジタル放送を選択する。この後、チューナ５４は、チャンネル番号選択コードの受信に基づき、放送の種別を切り換えることなく（地上デジタル放送の選択を維持したまま）、チャンネル番号を選択する（図５参照）。チューナ５４により選択されたチャンネル番号に対応する放送信号は、信号処理部５１等を介して、スピーカ１５、映像表示器１４から出力される。
【００５９】
或いは、リモートコントローラ１７’は、ＢＳ切換キー１７ｔ’の押下に対応して、ＢＳ放送選択コードを送信する。この後、リモートコントローラ１７’は、選局キー１７ｄ’の押下に対応して、チャンネル番号選択コードを送信する。
【００６０】
デジタルテレビジョン受像機１１のチューナ４９は、ＢＳ放送選択コードの受信に基づき、ＢＳ放送を選択する。この後、チューナ４９は、チャンネル番号選択コードの受信に基づき、放送の種別を切り換えることなく（ＢＳ放送の選択を維持したまま）、チャンネル番号を選択する（図５参照）。チューナ４９により選択されたチャンネル番号に対応する放送信号は、信号処理部５１等を介して、スピーカ１５、映像表示器１４から出力される。
【００６１】
或いは、リモートコントローラ１７’は、ＣＳ切換キー１７ｕ’の押下に対応して、ＣＳ放送選択コードを送信する。この後、リモートコントローラ１７’は、選局キー１７ｄ’の押下に対応して、チャンネル番号選択コードを送信する。
【００６２】
デジタルテレビジョン受像機１１のチューナ４９は、ＣＳ放送選択コードの受信に基づき、ＣＳ放送を選択する。この後、チューナ４９は、チャンネル番号選択コードの受信に基づき、放送の種別を切り換えることなく（ＣＳ放送の選択を維持したまま）、チャンネル番号を選択する（図５参照）。チューナ４９により選択されたチャンネル番号に対応する放送信号は、信号処理部５１等を介して、スピーカ１５、映像表示器１４から出力される。
【００６３】
上記したように、リモートコントローラ１７’を使用すると、放送の種別を切り換えてから、チャンネル番号を選択することになる。
【００６４】
次に、デジタルテレビジョン受像機１１によるモード設定及び放送信号切換処理について説明する。
【００６５】
デジタルテレビジョン受像機１１は、ユーザによるモード設定操作に対応して、上記したリモートコントローラ１７に対応するための第１のリモートコントロールモード、及びリモートコントローラ１７’に対応するための第２のリモートコントロールモードのうちのどちらか一方のモードを設定することができる。例えば、図６に示すように、操作モジュール１６、リモートコントローラ１７、リモートコントローラ１７’を介して、第１のリモートコントロールモード（ダイレクト選局ボタン付きリモートコントローラ対応モード）を設定したり、第２のリモートコントロールモード（付属リモートコントローラ対応モード）を設定したりすることができる。
【００６６】
制御モジュール６５は、第１のリモートコントロールモードの設定に対応して、リモートコントローラ１７から送信されるコードを解釈し、放送の種別の選択、チャンネル番号の選択を制御する。リモートコントローラ１７から送信されるコードに基づく、放送の種別の選択、チャンネル番号の選択については既に説明した通りである。また、制御モジュール６５は、第２のリモートコントロールモードの設定に対応して、リモートコントローラ１７’から送信されるコードを解釈し、放送の種別の選択、チャンネル番号の選択を制御する。リモートコントローラ１７’から送信されるコードに基づく、放送の種別の選択、チャンネル番号の選択については既に説明した通りである。
【００６７】
以上により、第１のリモートコントロールモードの設定に対応して、リモートコントローラ１７を使用することができ、また、第２のリモートコントロールモードの設定に対応して、リモートコントローラ１７’を使用することもできる。
【００６８】
以上は、第１のリモートコントロールモードの設定時にリモートコントローラ１７が使用された場合、又は第２のリモートコントロールモードの設定時にリモートコントローラ１７’が使用された場合について説明した。
【００６９】
ところが、第１のリモートコントロールモードの設定時にリモートコントローラ１７’が使用されたり、第２のリモートコントロールモードの設定時にリモートコントローラ１７が使用されたりすることも考えられる。
【００７０】
図７のフローチャートに示すように、デジタルテレビジョン受像機１１は、このような不適切なリモートコントローラの使用に対して適切に動作することができる。
【００７１】
デジタルテレビジョン受像機１１（受信モジュール１８）が、リモートコントローラ１７のダイレクト選局キー１７ｄの押下に対応した地上デジタル放送又は地上アナログ放送のダイレクト選局コードを受信し（ステップＳ７１、ステップＳ７２、ＹＥＳ）、第１のリモートコントロールモード（ダイレクト選局モード）が設定されている場合には（ステップＳ７３、ＹＥＳ）、適切なリモートコントローラの使用である。よって、デジタルテレビジョン受像機１１（チューナ５４又は５６）が、リモートコントローラ１７のダイレクト選局キー１７ｄの押下に対応した地上デジタル放送又は地上アナログ放送のダイレクト選局コードに基づき、地上デジタル放送又は地上アナログ放送を選択し、チャンネル番号を選択する（ステップＳ７４）。
【００７２】
また、デジタルテレビジョン受像機１１（受信モジュール１８）が、リモートコントローラ１７のダイレクト選局キー１７ｄの押下に対応した地上デジタル放送又は地上アナログ放送のダイレクト選局コードを受信し（ステップＳ７１、ステップＳ７２、ＹＥＳ）、第２のリモートコントロールモードが設定されている場合には（ステップＳ７３、ＮＯ）、不適切なリモートコントローラの使用である。この場合は、デジタルテレビジョン受像機１１（チューナ５４又は５６）が、リモートコントローラ１７のダイレクト選局キー１７ｄの押下に対応した地上デジタル放送又は地上アナログ放送のダイレクト選局コードに基づき、放送の種別を切り換えることなく（選択中の放送の種別を維持したまま）、チャンネル番号だけを選択する（ステップＳ７５）。
【００７３】
第２のリモートコントロールモードが設定されているということは、リモートコントローラ１７’の使用を前提としている。リモートコントローラ１７’の選局キー１７ｄ’は、放送の種別を切り換えることなく（選択中の放送の種別を維持したまま）、チャンネル番号だけを切り換えるためのキーである。そこで、第２のリモートコントロールモードが設定されている場合にリモートコントローラ１７（ダイレクト選局キー１７ｄ）が使用された場合には、放送の種別を切り換えることなく（選択中の放送の種別を維持したまま）、チャンネル番号だけを切り換える。これにより、ユーザのイメージ（厳密には誤ったイメージ）に近い切り換え操作を実現する。
【００７４】
また、デジタルテレビジョン受像機１１（受信モジュール１８）が、リモートコントローラ１７のダイレクト選局キー１７ｃの押下に対応したＢＳ放送又はＣＳ放送のダイレクト選局コードを受信し（ステップＳ７１、ステップＳ７２、ＮＯ）、第１のリモートコントロールモード（ダイレクト選局モード）が設定されている場合には（ステップＳ７６、ＹＥＳ）、適切なリモートコントローラの使用である。よって、デジタルテレビジョン受像機１１（チューナ４９）が、リモートコントローラ１７のダイレクト選局キー１７ｃの押下に対応したＢＳ放送又はＣＳ放送のダイレクト選局コードに基づき、ＢＳ放送又はＣＳ放送を選択し、チャンネル番号を選択する（ステップＳ７７）。
【００７５】
また、デジタルテレビジョン受像機１１（受信モジュール１８）が、リモートコントローラ１７のダイレクト選局キー１７ｃの押下に対応した地上デジタル放送又は地上アナログ放送のダイレクト選局コードを受信し（ステップＳ７１、ステップＳ７２、ＮＯ）、第２のリモートコントロールモードが設定されている場合には（ステップＳ７６、ＮＯ）、不適切なリモートコントローラの使用である。この場合は、デジタルテレビジョン受像機１１（チューナ４９、５４、５６）は、リモートコントローラ１７のダイレクト選局キー１７ｃの押下に対応したＢＳ放送又はＣＳ放送のダイレクト選局コードに基づき、放送の種別を切り換えることなく、チャンネル番号を切り換えることもない。つまり、一切の選局動作を行わない（ステップＳ７８）。さらに、この場合は、デジタルテレビジョン受像機１１（制御モジュール６５）は、エラーメッセージを表示するための表示情報を出力する（ステップＳ７８）。つまり、ＯＳＤ信号生成モジュール６１が、グラフィック処理モジュール５８に対して、エラーメッセージを表示するための表示情報を出力し、その結果、映像表示器１４には、エラーメッセージが表示される。
【００７６】
第２のリモートコントロールモードが設定されているということは、リモートコントローラ１７’の使用を前提としている。リモートコントローラ１７’には、ＢＳ放送又はＣＳ放送用のダイレクト選局キーは設けられていない。そこで、第２のリモートコントロールモードが設定されている場合にリモートコントローラ１７（ダイレクト選局キー１７ｃ）が使用された場合には、一切の選局動作を行わず、エラーメッセージを表示する。これにより、ユーザにモード設定の誤りを認識させることができる。
【００７７】
以上により、デジタルテレビジョン受像機１１は、モード設定により、ダイレクト操作対応のリモートコントローラ１７及び二段階操作対応のリモートコントローラ１７’に対応することができ、しかも、不適切なリモートコントローラの使用に対しても、ある程度対応することができる。
【００７８】
なお、上記したモジュールとは、ハードウェアで実現するものであっても良いし、ＣＰＵ等を使ってソフトウェアで実現するものであってもよい。
【００７９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００８０】
【図１】この発明の一実施形態に係るデジタルテレビジョン受像機（放送信号処理装置）の外観と、このデジタルテレビジョン受像機を中心として構成されるネットワークシステムを示す図である。
【図２】デジタルテレビジョン放送受信装置の主要な信号処理系を示す図である。
【図３】ダイレクト操作対応のリモートコントローラの外観を示す図である。
【図４】二段階操作対応のリモートコントローラの外観を示す図である。
【図５】ダイレクト操作対応のリモートコントローラから送信されるコードと、二段階操作対応のリモートコントローラから送信されるコードとを比較した図である。
【図６】モード設定画面の一例を示す図である。
【図７】モード設定に応じた選局動作の一例を示すフローチャートである。
【符号の説明】
【００８１】
１１…情報通信端末、１２…キャビネット、１３…支持台、１４…映像表示器、１５…スピーカ、１６…操作モジュール、１７…ダイレクト操作対応のリモートコントローラ、１７’…二段階操作対応のリモートコントローラ、１８…受光モジュール、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
2010062843.tif 000003
【図２】
2010062843.tif 000004
【図３】
2010062843.tif 000005
【図４】
2010062843.tif 000006
【図５】
2010062843.tif 000007
【図６】
2010062843.tif 000008
【図７】
2010062843.tif 000009